(57)【特許請求の範囲】
【請求項１】
四角形の布製で袋状の寝具カバー本体と、この寝具カバー本体の前記四角形の１本の対角線上に形成される開口の縁部と、この開口を開閉するために前記縁部に設けられたスライドファスナーと、を有し、前記寝具カバー本体は織糸が斜めになった布により構成されることを特徴とする寝具カバー。
【発明の詳細な説明】
【技術分野】
【０００１】
この発明は、布団や毛布などを覆う寝具カバーの構造に関する。
【背景技術】
【０００２】
従来の布団カバーは、四角形の布を一対縫い合わせた袋状をしており、四角形の辺部に、布団を出し入れするための開口が形成される。この開口の縁に、開口の開閉をおこなうための手段、例えばスライドファスナーや紐などが設けられる。
【０００３】
また、布団カバーの内部で、布団が一方の辺部へ片寄ったりずれたりするのを防ぐために、布団カバーの内部の四隅には紐の一端が固定され、これに対応して、布団の四角には他の紐の両端が固定されてリング状をなし、両者の紐が結ばれうる構成になっている。
しかし、布団カバーの辺部に設けられる開口は、布団の大きさよりやや小さくなり、狭く、布団を出し入れする作業は、楽ではない。また、布団カバーの内部で、前記両者の紐を結ぶ作業は、面倒である。
【０００４】
これらの作業を楽に、また無用にするために、下記の特許文献１では、図３に示すように、布団カバー２１の四角形の２本の対角線によって、布団カバーの片側面を４分割し、よって袋状の布団カバー２１を完全に開放できる構成になっている。これにより中心から四方へ放射状に延びる４本の分割線２３上に、４つのスライドファスナー２５が設けられ、布団カバー２１の開閉がおこなわれる。４つのスライドファスナー２５は、開閉の始端部が布団カバーの中心に集められ、無用に開閉が生じないように、この中心の部分を一枚の菱形布２７で覆い、この菱形布は面ファスナー２９などで布団カバーの中心部分に着脱できる構成となっている。
【０００５】
このような構成により、布団を出し入れする作業は楽になり、布団カバー２１の内部で、前記両者の紐を結ぶ作業をおこなうものとしても、容易である。
また、下記の特許文献２では、布団カバーの四角形の１本の対角線上に開口部を形成するものが、開示される。これにより、開口は、布団の大きさより大きくなり、布団を出し入れする作業は楽になる。
【特許文献１】特開２００２−３０６２９９
【特許文献２】特開平１１−２２５８６４
【発明の開示】
【発明が解決しようとする課題】
【０００６】
しかしながら、特許文献１は、布団カバーを４分割する必要があり、４つのスライドファスナーや着脱可能な菱形布を必要とし、構成や製作が面倒であり、コストが高くなる。  また、特許文献２は、布団を出し入れする作業は楽になるものの、布団が一方の辺部へ片寄ったりずれたりするのを防ぐためには、やはり、布団カバーの四隅を紐で結ぶ作業が必要であり、この作業は同じように面倒である。
以上の課題は布団カバーについて説明したが、毛布を覆うための毛布カバーでも同様の課題が生じる。
【０００７】
この発明は、以上の問題点を解決するために、布団や毛布を出し入れするのが楽で、構成や製作が面倒ではなく、よってコストを抑えられ、布団や毛布が一方の辺部へ片寄ったりずれたりするのを防ぐための紐で結ぶ作業が無用になる寝具カバーを提供することを目的とする。
【課題を解決するための手段】
【０００８】
以上の課題を解決するために、本発明は、四角形の布製で袋状の寝具カバー本体と、この寝具カバー本体の前記四角形の１本の対角線上に形成される開口の縁部と、この開口を開閉するために前記縁部に設けられたスライドファスナーと、前記寝具カバー本体を構成し織糸が斜めになった布と、を有することを特徴とする寝具カバーである。
【発明の効果】
【０００９】
本発明によれば、１本の対角線上に開口を形成することで開口を大きくでき、布団や毛布を出し入れする作業が楽になるのみならず、この開口を開閉するために開口の縁部にスライドファスナーを設けるとともに、寝具カバー本体を織糸が斜めになった布によって構成することで、布団や毛布が寝具カバーの一方の辺部へ片寄ったりずれたりするのを防ぐことができる。
【００１０】
すなわち、片寄りやずれは、寝具カバー本体の伸びが関係する。伸びが大きいと、布団や毛布の角部から、寝具カバー本体の内部の隅部が外れてしまい、片寄りやずれの大きな原因になる。本発明は、１本の対角線上にスライドファスナーを設けることで、スライドファスナーが固く伸びないことから、この対角線上の伸びはほぼ完全に抑止される。
【００１１】
他の対角線上の伸びは、寝具カバー本体を構成する布の織糸が斜めになっていることで、織糸の方向の伸びは小さいことから、抑止される。このとき、対角線上の伸びを生じる布領域の長さは、前記１本の対角線上のスライドファスナーによって分断され、半分の長さになる。よって、さらに、伸びは小さくなり、抑止される。
【００１２】
このようにして、布団や毛布の４つの角部から、寝具カバー本体の４つの隅部が外れにくくなり、片寄りやずれを防止できる。
【発明を実施するための最良の形態】
【００１３】
この発明の実施形態を、図１に示す。
図中（Ａ）に示すように、布団１を覆う寝具カバー３の寝具カバー本体５は、四角形の布製で、表裏２枚の四辺が縫い合わされ、袋状となっている。この寝具カバー本体５の表地は、その四角形の１本の対角線上で分割され、開口７が形成される。その開口７の縁部には、開口７を開閉するために、スライドファスナー９が設けられる。布団１は羽根布団で、寝具カバー本体５の布生地は、ガーゼ生地である。
【００１４】
図中（Ｂ）に示すように、寝具カバー本体５を構成する布は、いわゆるバイアスカットされ、織糸１１が４５度斜めになっている。図中、矢印の方向へ布を引っ張った時の伸びの量を、矢印の長さで示す。
【００１５】
「実施形態の効果」
この実施形態によれば、以下の効果を有する。
（１）寝具カバー３の四角形の１本の対角線上に、開口７を形成することで、開口７を大きくでき、四角形の辺部に開口７を形成する場合に比べ、布団１を出し入れする作業が楽になる。
【００１６】
（２）開口７を開閉するため、開口７の縁部にスライドファスナー９を設けるとともに、寝具カバー本体５を織糸１１が斜めになった布によって構成することで、布団１が寝具カバー３の一方の辺部へ片寄ったりずれたりするのを防ぐことができる。
すなわち、布団１の寝具カバー３に対する片寄りやずれは、寝具カバー本体５の伸びが関係する。伸びが大きいと、布団１の角部から、寝具カバー本体５の隅部が外れてしまい、片寄りやずれの大きな原因になる。
【００１７】
（ｉ）そこで、この実施形態のように、１本の対角線上にスライドファスナー９を設ける。図示しないが周知のように、スライドファスナー９は、左右一対のファスナーテープの互いに向かい合う縁部に、多数の金属製あるいはプラスチック製のファスナーエレメントが配列され、これらのファスナーエレメントを嵌合させながらスライダーがスライドする。配列されるファスナーエレメントの間隔は変化してはいけないので、ファスナーテープは、伸びのない素材で形成される。このため、スライドファスナー９は全体として固く伸びない。よって、スライドファスナー９を設けたこの対角線上（右上斜め、左下斜めの方向）の伸びは、ほぼ完全に抑止される。
【００１８】
（ｉｉ）他の対角線上の伸びは、寝具カバー本体５を構成する布が、いわゆるバイアスカット（図１（Ｂ））され、その織糸１１が４５度斜めになっていることで、織糸１１の方向の伸びは小さいことから、抑止される。
すなわち、図１（Ｂ）に示すように、織糸１１はそれ自体の伸び縮みは小さく、よって、斜め方向（右上斜め、右下斜め、左上斜め、左下斜めの方向）の伸びは小さい。これに対して、織糸１１の方向に直角な方向（上下左右の方向）の伸びは大きい。織り目の菱形が十分に変形するためである。
【００１９】
よって、織糸１１が斜めになった布の働きで、斜め方向の伸びが小さくなり、斜め方向（右下斜め、左上斜めの方向）に存在する布団１の角部から、寝具カバー本体５の隅部が外れにくくなる。
さらに、このとき、対角線上の伸びを生じる布領域の長さは、スライドファスナー９によって分断され、半分の長さになる。例えば、左上斜め方向の伸びを生じる布領域１２（図中に楕円状の二点差線で示す）の長さは、スライドファスナー９によって分断され、スライドファスナー９がない場合の半分の長さになる。よって、さらに、伸びは小さくなり、抑止される。
【００２０】
これら（ｉ）（ｉｉ）のように伸びの大小が決まることから、寝具カバー３の周囲縁のある点を、その点と中心とをつなぐ線上で引っ張ったときの伸び量を、全周の点において示すと、図１中の一点差線１３のようになる。
【００２１】
この一点差線１３から判るように、繰り返しになるが、スライドファスナー９を設けた対角線上の伸びは、すなわち、右上と左下の角はの伸びは、ほぼ完全に抑止される。他の対角線上の伸びは、すなわち、右下と左上の角の伸びは、織糸１１の方向の伸びが小さいことから、抑止される。また、４辺の各中央部は、伸びが大きい。そのうち上下辺の中央部は、伸びを生じる布領域の長さ、すなわちスライドファスナー９からの布領域の長さが長いので、特に伸びが大きい。
【００２２】
このように寝具カバー本体５の４つの角の伸びは抑止されるので、布団１の４つの角部から、寝具カバー本体５の内部の４つの隅部が外れにくくなり、片寄りやずれを防止できる。
【００２３】
［比較例との比較］
本発明の実施形態である図１に対して、対角線上のスライドファスナー９は同じであるがバイアスカットではない比較例を図２に示す。
この図においても、寝具カバー３の周囲縁のある点を、その点と中心とをつなぐ線上で引っ張ったときの伸び量を、全周の点において示すと、図中の一点差線１５のようになる。
【００２４】
この一点差線１５から判るように、スライドファスナー９を設けた対角線上の伸びは、すなわち、右上と左下の角はの伸びは、ほぼ完全に抑止される。他の対角線上の伸びは、すなわち、右下と左上の角の伸びは、織糸１１の方向の伸びが大きいことから、大きくなる。４辺の各中央部は、織糸１１の方向の伸びが小さいことから、小さい。そのうち左右辺の中央部は、伸びを生じる布領域の長さ、すなわちスライドファスナー９からの長さが短いので、より小さい。
【００２５】
この比較例からわかるように、寝具カバー３の１本の対角線上にスライドファスナー９を設けただけでは、他の対角線の角の伸びが大きくなり、その角において、布団１の角部から、寝具カバー本体５の隅部が外れ易くなる。
これに対して、図１の実施形態では、バイアスカットであるために、他の対角線の角の伸びも抑止され、その角においても、布団１の角部から、寝具カバー本体５の隅部が外れにくくなる。さらに、このとき、他の対角線上の伸びを生じる布領域の長さは、スライドファスナー９によって分断され、半分の長さになる。よって、スライドファスナー９とバイアスカットの相乗効果により、さらに、伸びは小さくなり、抑止される。
【図面の簡単な説明】
【００２６】
【図１】この発明の一実施形態を示すもので、（Ａ）は寝具カバーの平面図を示し、一点差線は寝具カバーの周囲のある点を、その点と中心とをつなぐ線上で引っ張ったときの伸び量を、全周の点において示す図、（Ｂ）は（Ａ）布の織目を示す図である。
【図２】図１の実施形態の効果を示すためのバイアスカットではない比較例を示すもので、（Ａ）は寝具カバーの平面図を示し、一点差線は寝具カバーの周囲のある点を、その点と中心とをつなぐ線上で引っ張ったときの伸び量を、全周の点において示す図、（Ｂ）は（Ａ）布の織目を示す図である。
【図３】従来例の布団カバーの平面図である。
【符号の説明】
【００２７】
１…布団、３…寝具カバー、５…寝具カバー本体、７…開口、９…スライドファスナー、１１…織糸、１２・・左上斜め方向の伸びを生じる布領域、１３、１５…一点差線。
【要約】
【課題】布団や毛布を出し入れするのが楽で、構成や製作が面倒ではなく、よってコストを抑えられ、布団や毛布が一方の辺部へ片寄ったりずれたりするのを防ぐために、紐で結ぶ作業が無用になる寝具カバーを提供する
【解決手段】寝具カバー本体５の四角形の１本の対角線上に開口７を形成し、その開口７の縁部にスライドファスナー９を設け、寝具カバー本体５を織糸１１が斜めになった布によって構成する。対角線上に開口７を形成することで開口７を大きくでき、布団１を出し入れする作業が楽になる。のみならず、織糸１１が斜めになった布の働きで、斜め方向の伸びが小さくなり、斜め方向に存在する布団１の角部から、寝具カバー本体５の隅部が外れにくくなる。
【選択図】図１【図３】
0004177449.tif 000002
【図１】
0004177449.tif 000003
【図２】
0004177449.tif 000004